(57)【要約】      （修正有）【課題】長袖のカッター及びカジュアルシャツ・ジャンパーの袖口に装着されたカフス部分の内側両端部の一方の釦付け位置の裏側と、もう一方の釦穴近くの裏側に橋渡し状に平ゴム帯の両端を縫い付け固定し、袖口の拡大縮小を容易にできるを目的とし、水仕事等の作業前に行う、袖口の濡れや汚れ防止の為の事前行為である、長袖カッターシャツ等の袖口引き上げが容易にできる構造とし、物品洗浄作業時等、腕の反復動作時に発生する、袖口のずり下がり防止を目的とする袖口カフス部の構造を提供する。【解決手段】袖口カフス部両端裏側の、釦と釦穴両位置近くに橋掛け状態で平ゴム帯２の両端を縫い付け固定３、又は、ゴム帯の片端のみマエカンの鉤型留め具やホック装着による、平ゴム帯の片側着脱可能式又は収縮力２段調節可能型にする事により、大小個人差のある前腕部等で袖口を止めて、反復動作作業をする時、平ゴム帯の適度の収縮力が働き、袖口ずり下がり現象を防止する事ができる。【選択図】図２
0003159748.tif 000002
【実用新案登録請求の範囲】
【請求項１】
長袖のカッターシャツ及びジャンパーの袖口カフスの内側面の、一方の釦付け位置近くの裏側と他方の釦穴近くの裏側、即ち、袖口スリットのカフス両端部を橋掛け状態にて、平ゴム帯を縫い付け固定し、袖口部を上腕部に向けて引き上げた際、前記の平ゴム帯が前腕部、又は、肘関節部、及び、上腕部等の停止位置にて、同平ゴム帯の伸長により、適度のゴム収縮力が働き、反復動作、作業時の袖口移動落下等の発生を防止できることを特徴とする、平ゴム帯装着の長袖のカッターシャツ及びジャンパーの袖口カフス。
【請求項２】
平ゴム帯の装着位置は請求項１記載と同様であるが、平ゴム帯の収縮力調整を可能にする為、平ゴム帯の縫い付け固定は袖口カフスの釦付け近くの位置のみとし、もう一方の平ゴム帯先端部には、材質が金属、又は、硬質樹脂製のマエカンの鉤型留め具を装着する、又、カフスの釦穴近くの位置には梯子型の鉤型留め具の引っ掛け具を取り付け、脱着可能な２段階留め、固定方式にし、平ゴム帯の収縮力の強弱調節を可能とする、又、マエカン方式をホック方式にする場合はホック凸形状を平ゴム先端部に装着し、カフスの釦穴近くの位置には凹形状のホック止め具を直列２連に装着する、２段階留めの選択固定方式とすることで、前腕部等の大小による体形の個人差に対応が可能であることを特徴とする平ゴム帯装着の長袖のカッターシャツ及びジャンパーの袖口カフス。
【考案の詳細な説明】
【技術分野】
【０００１】  本考案は長袖のカッター及びカジュアルシャツ・ジャンパーの袖口に装着されたカフス部分の内側両端部の一方の釦付け位置の裏側と、もう一方の釦穴近くの裏側に橋渡し状に平ゴム帯の両端を縫い付け固定し、袖口の拡大縮小を容易にできるを目的とし、水仕事等の作業前に行う、袖口の濡れや汚れ防止の為の事前行為である、長袖カッターシャツ等の袖口引き上げが容易にできる構造とし、物品洗浄作業時等、腕の反復動作時に発生する、袖口のずり下がり防止を目的とする袖口カフス部改良に関するものである。
【背景技術】
【０００２】  カッターシャツ等着用時、従来からの作業準備は手洗い及び洗顔、又は、容器・衣類等の反復動作の洗浄作業に際し、袖口の水濡れ、又は、汚れ防止の事前準備として、袖口の捲くり上げや短時間で可能な、袖口引き上げにて前記の反復動作の洗浄作業等を行っていた、捲り上げは準備に時間を要し、又、袖口引き上げでの作業は、作業中に袖口のずり下がりが発生し、作業中断が生じるため、其の対策として腕貫きや袖上げベルト、又は、袖ハンド等を予め作業前に装着していたが作業内容が事前に解る時のみ準備が可能であった。
【考案の概要】
【考案が解決しようとする課題】
【０００３】  これ迄水仕事や汚れ物取扱の作業前には、袖口濡れや汚れ防止対策として、袖口カフス釦外し後、袖口の捲り上げや、急を要する時には、袖口引き上げ後、反復動作である洗浄作業等を行っていた、又、予め作業内容が解る場合は、腕貫き、やその他の方法にて事前準備を施し作業に臨んでいたが、突発的に前記作業を実施する事態が発生した時、即座の対応には適さない欠点を有する袖口の長袖カッターシャツ等が従来から広く普及している。
【課題を解決するための手段】
【０００４】  そこで、上記問題点を解消する為、長袖のカッター及びジャンパー等の、袖口に装着されたカフス部の内側（裏側）部分に平ゴム帯を装着し、平ゴム両端部の一方を釦付け位置近くの裏側に縫い止め、同ゴム帯のもう一方の端部は釦穴側近くに縫い止め、平ゴム帯の両端を袖口スリット部のカフス両端裏側部分に橋掛け状態に縫い付け固定する。【０００５】  カフス部を釦止めした時は袖口部の円周内側に装着の平ゴム帯は、平ゴムの引っ張りによる袖口部の変形が生じない状態を保つ長さとする、袖口部の引き上げ動作に際して、平ゴム帯は伸長し前腕部で袖口を固定する時や肘関節部の袖口通過後の、上腕部で固定する時、充分な収縮力が確保できる事尚、前腕部・上腕部の太さには個人差もある為、平ゴム帯伸縮力の２段調整可能な脱着形としてマエカンで固定する場合、平ゴム帯の一方の端部はカフスの釦付け位置近くに縫い止め固定し、他方のゴム帯端部にはマエカン鉤型留め具を装着し、カフスの釦穴側近くに梯子形２段引っ掛け固定具を装着する、又ホック止めの場合は凸形ホックは平ゴム帯の先端に装着し、カフスの釦穴側近くには凹形のホック止め具を直列２連装着し収縮力の強弱調整を可能とする。【０００６】  長袖のシャツ及びジャンパーのサイズを大別する時、園児用・学童用・学生用・成人男性・女性用に種別され、各々、Ｓ・Ｍ・Ｌ・ＬＬサイズ等に分類されている、又、平ゴム帯も６コールから１８コール位まで多種多様の強弱、及び、帯幅が存在している、これらの中から幼児用から成人用までのシャツ及びジャンパー等の．サイズに最適の平ゴム帯を選択し装着することで幼児から成人までの対応は可能である、尚、学童用サイズ迄は平ゴム帯両端部は縫い付け固定式で充分対応は可能である、ゴム帯の引っ張りで袖口変形が無ければシャツ等の着脱時の袖通しに際し、手先（指先）の引っかかり等の問題は発生しない。【０００７】  尚、女性用長袖カッターシャツやブラウスの場合、カフス部折り曲げ状態にて着用をする時、その対応形としては、平ゴム帯、縫い付け位置を、袖口カフス部からスリット部に移動させ同位置に橋掛け状態で平ゴム帯両端を縫い付け固定する事により、フアッション面でのカフス部の折り曲げ変化を楽しむ際の、障害を招かぬよう配慮できる。
【考案の効果】
【０００８】  長袖のカッターシャツ及びジャンパー袖口の任意停止位置は前腕部の中間及び肘関節部又は、上腕部、何れの位置にても平ゴム帯の伸縮により停止位置の移動や停止が可能であり、短時間での袖口引き上げ操作も容易で、反復動作作業時に発生する袖口のずり下がり現象も発生せず、これ迄予め準備していた腕貫き等の物品も不要である、特にワイシャツ着用時の手洗い、及び、洗顔行為時の袖口濡れの防止やデスク・ワーク時の袖口汚れ防止には速やかなる対処が可能である、又、前記の作業終了時袖口の手首位置への復元も瞬時にできる事、短い平ゴム帯の袖口内側（裏側）装着のため安価にて提供でき、外見からの目視によるフアッション性低下の問題点も発生しない、又、袖口引き上げ時、平ゴム帯は袖口下部の内部（裏側）装着のため、其の存在は外見からでの確認は不可能に近い特徴を有する、平ゴム帯装着の長袖のカッターシャツ及びジャンパーの袖口カフス部である。
【図面の簡単な説明】
【０００９】
【図１】平ゴム帯装着の袖口カフス部平面図
【図２】袖口カフス部内側に平ゴム帯両端縫い付け固定の袖口平面図
【図３】マエカン鉤型止め具付き平ゴム帯及び梯子形２段掛け装着のカフス内側平面図
【図４】マエカン鉤型止め具付き平ゴム帯装着の袖口カフス（袖口側から見た）横断面図
【符号の説明】
【００１０】  １    長袖カッターシャツ・カフス
２    平ゴム帯
３    カフス内側・平ゴム帯縫い付け固定部
４    カフス止・釦
５    スリット部・釦
６    カフス部・釦穴
７    マエカン鉤型止め具
８    梯子形マエカン鉤型止め具引っ掛け部（１段目）
９    梯子形マエカン鉤型止め具引っ掛け部（２段目）
１０    袖口スリット部
１１    平ゴム帯片端鉤型止め具圧着固定部
１２    平面図  作図の為の１枚布  成形カフス部の切断辺
１３    袖筒成形時の縫合辺
１４    各部の縫い付け固定糸
【図１】
0003159748.tif 000003
【図２】
0003159748.tif 000004
【図３】
0003159748.tif 000005
【図４】
0003159748.tif 000006